(57)【特許請求の範囲】
【請求項１】
送信データの切れ目に特有の識別パターンを挿入してパケットを形成して、通信装置間で相互にデータの授受を実行するデータ通信装置間における対向通信装置への状態通知方式において、
前記各通信装置には、前記識別パターンとして複数の異なった識別パターンを設定し、対向通信装置へ送信するパケット毎に前記複数の識別パターンを予め設定された順序で繰り返し挿入する識別パターン挿入手段と、
受信したパケットに含まれる識別パターンと、前記予め設定された順序で繰り返される複数の異なった識別パターンとを照合する識別パターン照合手段と、
前記識別パターン照合手段では、受信したパケットに含まれる識別パターンの順序が、前記予め設定された順序と一致しないことにより、対向通信装置の有効データ長の設定誤りを検出することを特徴とするデータ通信装置間における対向通信装置への状態通知方式。
【請求項２】
前記各通信装置には、前記識別パターン照合手段の照合結果が入力される状態監視部を備えていることを特徴とする請求項１に記載のデータ通信装置間にける対向通信装置への状態通知方式。
【請求項３】
請求項１又は２に記載のデータ通信装置間における対向通信装置への状態通知方式に適用されるデータ処理部と回線終端部を含む通信装置であって、通信装置には、識別パターンとして複数の異なった識別パターンを設定し、対向通信装置へ送信するパケット毎に前記複数の識別パターンを予め設定された順序で繰り返し挿入する識別パターン送出部と、受信したパケットに含まれる識別パターンと、前記予め設定された順序で繰り返される複数の異なった識別パターンとを照合する識別パターン検出部と、を含むことを特徴とする通信装置。
【発明の詳細な説明】
【０００１】
【発明の属する技術分野】
本発明は、ネットワーク間でのデータの伝送を相互に実行する通信装置間において相手通信装置の状態を監視する状態通知システムに関する。
【０００２】
【従来の技術】
図１は、ネットワーク11とネットワーク14間で、Ａ通信装置12及びＢ通信装置13を介してデータの送受を行うシステムでは、Ａ通信装置12から識別パターンを含むデータを送信し、Ｂ通信装置13で受信したその識別パターンによって相手通信装置（Ａ通信装置）の状態を監視している。また、Ｂ通信装置13から識別パターンを含むデータを送信し、Ａ通信装置11で受信したその識別パターンによって相手通信装置（Ｂ通信装置）の状態を監視している。
【０００３】
従来の通信装置間で採用されている状態通知方式は、通信装置間で送受信される有効データの隙間に固定の識別パターンを挿入して送信し、相手方通信装置でその識別パターンを監視することによって行われている。しかし、相互に通信を行っている通信装置における有効データ長の設定が異なっている場合には、データが疎通しているにも関わらず、相手の通信装置が正常に動作しているように判断がなされてしまう場合がある。
【０００４】
その状態を図２を使用して説明する。図２では、Ａ通信装置12及びＢ通信装置13の間でデータ通信が実行されていて、A通信装置12では有効データ長を１パケット分（例えば1L）に設定し、Ｂ通信装置13では有効データ長を２パケット分（例えば2L）に設定しているものとする。この状態で、Ａ通信装置12から送信データs1（この送信データs1中には、識別パターンαが挿入された有効データ長1Lのデータが、データs1の先頭から含まれている。）を受信したＢ通信装置13では、受信データs2中の先頭から有効データ長2Lのデータを有効データとして受信して、その中に識別パターンαが含まれていることを確認して、相手方のＡ通信装置12が正常な動作をしていると判断する。
【０００５】
また、Ｂ通信装置12から送信データs3（この送信データs3中には、識別パターンαが挿入された有効データ長2Lのデータが、データs3の先頭から含まれている。）を受信したＡ通信装置11では、受信データs4中の先頭から有効データ長1Lのデータを有効データとして受信して、その中に識別パターンαが含まれていることを確認して、相手方のＢ通信装置13が正常な動作をしていると判断してしまう。この場合には、Ｂ通信装置13では、有効データ長を（例えば2L）に設定しているので、Ａ通信装置11における判断として、有効データ長の設定が異なっているという判断をしなけれならないのに、その判断が出来ない状態にある。
【０００６】
【発明の解決すべき課題】
上述の如く、図２に記載の如き、従来の通信装置間で採用されている状態通知方式は、通信装置間で送受信される有効データの隙間に固定の識別パターンを挿入して送信し、相手方通信装置でその識別パターンを監視するシステムでは、データ長の設定が異なっている場合には、データが疎通しているにも関わらず、相手の通信装置が正常に動作しているように判断がなされてしまうという問題があった。
【０００７】
本発明の課題
(目的)は、ネットワーク間でのデータの伝送を相互に実行する通信装置間において相手通信装置の状態を確実に監視することが可能な状態通知システムを提供することにある。
【０００８】
【課題を解決するための手段】
前記課題を解決するために、送信データの切れ目に特有の識別パターンを挿入してパケットを形成して、通信装置間で相互にデータの授受を実行するデータ通信装置間における対向通信装置への状態通知方式において、前記各通信装置には、前記識別パターンとして複数の異なった識別パターンを設定し、対向通信装置へ送信するパケット毎に前記複数の識別パターンを予め設定された順序で繰り返し挿入する識別パターン挿入手段と、受信したパケットに含まれる識別パターンと、前記予め設定された順序で繰り返される複数の異なった識別パターンとを照合する識別パターン照合手段と、前記識別パターン照合手段では、受信したパケットに含まれる識別パターンの順序が、前記予め設定された順序と一致しないことにより、対向通信装置の有効データ長の設定誤りを検出する。（請求項１）
【０００９】
また、前記各通信装置には、前記識別パターン照合手段の照合結果が入力される状態監視部を備える。（請求項２）
また、請求項１〜２に記載のデータ通信装置間における対向通信装置への状態通知方式に適用されるデータ処理部と回線終端部を含む通信装置であって、通信装置には、識別パターンとして複数の異なった識別パターンを設定し、対向通信装置へ送信するパケット毎に前記複数の識別パターンを予め設定された順序で繰り返し挿入する識別パターン送出部と、受信したパケットに含まれる識別パターンと、前記予め設定された順序で繰り返される複数の異なった識別パターンとを照合する識別パターン検出部とにより通信装置を構成する。（請求項３）
【００１０】
【発明の実施の形態】
図４を用いて本発明のデータ通信装置間における対向通信装置への状態通知方式に使用される通信装置の構成を説明する。図４において、通信装置は識別パターン送出部１、識別パターン検出部２、回線終端部３及びデータ処理部４で構成されている。識別パターン送出部１には、データ監視部1-1及び識別パターン生成部1-2が含まれ、データ監視部1-1で通信装置から対向通信装置に送出される有効データを監視して、識別パターン生成部1-2でデータが途切れた時に識別パターンを挿入してパケットを形成して送出する。
【００１１】
識別パターン検出部２には識別パターン照合部2-1及び状態監視部2-2が含まれ、受信したパケットに含まれる識別パターンと前記予め設定された順序で繰り返される複数の異なった識別パターンとを照合して、状態監視部2-2に与える。また、回線終端部３は、インタフェースのフレーム同期や回線状態の監視を実行する。また、データ処理部４は、送受信データの変換処理を実行する。
【００１２】
次に本発明のデータ通信装置間における対向通信装置への状態通知方式の動作を図３を使用して説明する。図３では、Ａ通信装置12及びＢ通信装置13の間でデータ通信が実行されていて、A通信装置12では有効データ長を１パケット（例えば1L）に設定し、Ｂ通信装置13では有効データ長を２パケット（例えば2L）に設定しているものとする。この状態で、Ａ通信装置12から送信データs1-1,s1-2（この送信データs1-1中には識別パターンαが、送信データs1-2中には識別パターンβがパケット毎に繰り返し挿入されている）を受信したＢ通信装置13では、受信データs2-1及びs-2-2中の先頭から有効データ長2Lのデータを有効データとして受信して、その中に識別パターンα及び識別パターンβが含まれていることを確認した場合には、相手方のＡ通信装置12が正常な動作をしていると判断する。
【００１３】
しかし、図３の場合には、Ｂ通信装置12から送信データs3-1,s3-2（この送信データs3-1中には、識別パターンα及び識別パターンβが挿入され、データs3-2中には識別パターンα及び識別パターンβが挿入されている。）を受信したＡ通信装置11では、受信データs4-1及びs4-2中の先頭から有効データ長1Lのデータを有効データとして受信して、その中に識別パターンαのみが検出されるので、相手方のＢ通信装置13が有効データ長の設定が誤っていると判断できる。なお、図３では、識別パターンはα及びβの２種類の繰り返しであるが、種類の識別パターンではなく、３種類以上の識別パターンの繰り返しに設定しても良いことは明らかである。
【００１４】
【発明の効果】
請求項１に記載の発明では、送信データの切れ目に特有の識別パターンを挿入してパケットを形成して、通信装置間で相互にデータの授受を実行するデータ通信装置間における対向通信装置への状態通知方式において、前記各通信装置には、前記識別パターンとして複数の異なった識別パターンを設定し、対向通信装置へ送信するパケット毎に前記複数の識別パターンを予め設定された順序で繰り返し挿入する識別パターン挿入手段と、受信したパケットに含まれる識別パターンと、前記予め設定された順序で繰り返される複数の異なった識別パターンとを照合する識別パターン照合手段と、前記識別パターン照合手段では、受信したパケットに含まれる識別パターンの順序が、前記予め設定された順序と一致しないことにより、対向通信装置の有効データ長の設定誤りを検出することによって、通信装置間で異なる有効データ長の設定が行われている場合に確実に設定異常を検出できる。したがって、早急な障害対応が可能になる。
また、前記識別パターン照合手段では、受信したパケットに含まれる識別パターンの順序が、前記予め設定された順序と一致しないことにより、対向通信装置の有効データ長の設定誤りを確実に検出することができる。
【００１５】
また、請求項２に記載の発明では、前記各通信装置には、前記識別パターン照合手段の照合結果が入力される状態監視部を備えることによって、対向する通信装置の監視を行うことができる。
また、請求項３に記載の発明では、請求項１〜２に記載のデータ通信装置間における対向通信装置への状態通知方式に適用されるデータ処理部と回線終端部を含む通信装置であって、通信装置には、識別パターンとして複数の異なった識別パターンを設定し、対向通信装置へ送信するパケット毎に前記複数の識別パターンを予め設定された順序で繰り返し挿入する識別パターン送出部と、受信したパケットに含まれる識別パターンと、前記予め設定された順序で繰り返される複数の異なった識別パターンとを照合する識別パターン検出部とにより通信装置を構成することによって、通信装置間で異なる有効データ長の設定が行われている場合に確実に設定異常を検出できる通信装置が得られる。
【図面の簡単な説明】
【図１】本発明が適用されるネットワーク構成を示す図である。
【図２】従来の有効データ長の設定の誤りを検出する動作を説明する図である。
【図３】本発明の有効データ長の設定の誤りを検出する動作を説明する図である。
【図４】本発明に使用される通信装置の内部構成を示すブロック図である。
【符号の説明】
１ 識別パターン送出部
1-1 データ監視部
1-2 識別パターン生成部
２ 識別パターン検出部
2-1 状態監視部
2-2 識別パターン照合部
３ 回線終端部
４ データ処理部
【図１】
0003912498.tif 000002
【図２】
0003912498.tif 000003
【図３】
0003912498.tif 000004
【図４】
0003912498.tif 000005